(57)【要約】スノーボードバインディングインターフェイスは、快適で、安全な解決策であり、すべてのスキー、スクォール、またはスノーボードのすべてのバインディングおよびブーツの下にマウントすることができ、それは運動者のくるぶしの筋力により発生可能な最大の回転トルクの測定装置としても使用することができ、インターフェイスはセイフティーリリース、プル−アウトレバーを有するステップ−インおよびステップ−アウトを有する標準的なバインディングに置き換えられるだけではなく、常に作動する停止ブレーキを有し、数字を有する取り付け可能なロックを有し、これは究極のロック解決策としてインターネットのサーバーに名前とともに記録することを含む。
2004520126.tif 000002
【特許請求の範囲】
【請求項１】
ユニバーサルマウンティングインターフェイスプレートとしてのスキーまたはスノーボード用のセイフティーバインディングであって、上部、下部、分離可能に上部と下部とを連結するセイフティーリリース機構を有し、上部はその上にすべての種類のスキーまたはスノーボードバインディングがマウントできるマルチプルアタッチメント手段を提供し、下部はスキーまたはスノーボードの上に任意の位置および角度でマウントできる、セイフティーバインディング。
【請求項２】
リリース機構が、エンゲージング要素および、ロック手段として圧縮バネを有するボックスを有し、それはエンゲージング要素とかみ合い、力または過剰のトルクによりリリースされうる、請求項１記載のセイフティーバインディング。
【請求項３】
該エンゲージング要素が凹型のトラフを有するアーチ形のグルーブとして形成され、ロック手段としてボルトを有する、請求項２記載のセイフティーバインディング。
【請求項４】
高さが調節可能なインサート手段が前記エンゲージング要素のグルーブ内に提供され、リリースをトリガーするしきい値を調節する、請求項３記載のセイフティーバインディング。
【請求項５】
エンゲージング要素（バネ力）の間に弾性要素が提供され、ピンを該グルーブ内に押しつける、請求項２から４に記載のセイフティーバインディング。
【請求項６】
該圧縮バネが回転可能なスペーシング要素手段により、カウンタープレートを介して調節可能である、請求項５記載のセイフティーバインディングデバイス。
【請求項７】
停止ブレーキがインターフェイスの上部および下部に提供され、ロック機構のリリース後、もしくはプル−アウト後、またはインターフェイス上にマウントされたバインディングにステップ−インする前に、該停止ブレーキが自動的に停止位置にトリガーされる、請求項１から６に記載のセイフティーバインディング。
【請求項８】
ゴム弾性テープがインターフェイスに提供され、ステップインのガイドと補助をする、請求項７記載のセイフティーバインディング。
【請求項９】
上部および／または下部に少なくともループが提供され、それはロックにより盗難防止としてロックされることができ、バネボックスとロック手段が上部と下部とのエンゲージング要素ともはや結合されていることができない、請求項１から８に記載のセイフティーバインディング。
【請求項１０】
ループが別個のアルファベツトまたは数字またはバーコードを有し、これはインターフェイスの所有者の名前とともにサーバーに記録される、請求項９記載のセイフティーバインディング。
【請求項１１】
上部が自由に動かすことができるプレート、または足とソケットジョイントとしてのリリース機構により自由にピボットすることができるプレートであり、これは下部に取り付けられ、それ自身がスノーボードまたはスキーの上にしっかりとマウントされ、自由に動かすことができるかまたは自由にピボットすることができる上部に取り付けられたレバーおよび測定装置のうえ、またはそれにより運動者のくるぶしジョイントの力とトルクが測定される、請求項１記載のセイフティーバインディング。
【請求項１２】
インターフェイスに測定装置としてワイヤーレバーが提供され、これはスノーボードブーツの（交換可能な異なる態様では底のキャビティー中のエンゲージング要素の）プル−アウトレバーとしても使用される、請求項１１記載のセイフティーバインディング。
【請求項１３】
インターフェイスに、停止ブレーキが下部に、スノーボードのエッジに対して０度から９０度の任意の角度のインターフェイスのセット角度で、１０ｃｍ−２０ｃｍ−３０ｃｍの任意の幅のスノーボードに、提供され、停止ブレーキのリリースが常に可能である、請求項７から１２記載のセイフティーバインディング。
【請求項１４】
固定具およびサスペンジョンプレートの長さ方向の固定が調節可能であり、インターフェイスの上部からの角度を調節することができ、または該角度は２つのセットねじの手段、およびゴム弾性スペーサーワッシャー手段により調節可能である、請求項１記載のセイフティーバインディング。
【請求項１５】
上部の下に調節可能なスレッドがあり、スキーの湾曲の異なる調整のためのゴム弾性スベースワッシャーを有し、上部において、停止要素のために少なくとも１つの穴または開口が停止要素のために提供され、これは下部に取り付けられ、この停止要素が上部のホールまたは開口を通して使用されることができる、請求項１から１４に記載のセイフティーバインディング。
【発明の詳細な説明】
【技術分野】
【０００１】
本発明は、スキー、スクォール、またはスノーボード用の、セイフティーリリースバインディングに関し、すべてのバインディング（特にスノーボード用）の下にインターフェイス（セイフティーリリースマウンティングプレート）としてマウントされる。
【０００２】
スキー用のセイフティーリリースバインディングは、非常に多くの態様のものが一般によく知られている。それらは、ねじり力によって回転してリリースする、いわゆるトー（ｔｏｅ）リリースメカニズム、およびスキーの上に過剰の垂直方向の負荷が加えられたときにリフト（ｌｉｆｔ）リリースする、いわゆるヒール（ｈｅｅｌ）リリースメカニズムからなっている。そのようなバインディングは、カービングスキーのような新しいスキーにも使用されている。スノーボードおよびいわゆるスクォール（大きな１本スキー）のためには、セイフティーリリースバインディングはまれにしか、または全く使用されていない。これは、大きなけがを引き起こす事故の数の増大にもかかわらず、公的な安全機関から強制的な規則が定められていないからである。つま先とかかとの空間が不足しているため、従来のスキーバインディングはスノーボードには使用できなかった。そのため、リリースメカニズムの全体が異なる場所、たとえばブーツの下またはブーツの横に配置されなければならなかった。すなわち、技術的、特許的、市場的な課題が大きく、それらはすべて致命的であるが、特に、スノーボードのセイフティーバインディングの開発に着手する際の新規性および複雑さが致命的であった。このため、スノーボードのセイフティーバインディングは依然として成功裏に確立されていなかった。
【０００３】
ＷＯ−Ａ−９９／０６１２７により、スノーボードに取り付けられた第一の部分と、ブーツに取り付けられた第二の部分を有し、第一の部分と第二の部分はクランピング機構により連結され、この連結が危険な加重および衝撃によりリリースされる、スノーボードのセイフティーバインディングが知られている。このクランピング機構は、少なくとも２つの平行に配置された圧縮バネを有し、これはその両端にボルトを有し、該ボルトのそれぞれは該第一の部分と第二の部分の他の箇所に提供されるエンゲージング要素とかみ合わされ、圧力要素が該圧縮バネと、該バネの一端のボルトとの間に提供され、横方向、前方、および後方への回転のための該ロック機構のリリーカのためのトリガーしきい値を設定し、縦方向、すなわちスノーボーダーのフットジョイントについての回転では、該エンゲージング要素上にインサート手段が提供され、縦方向、すなわちスノーボーダーのすねの骨についての該ロック機構のリリーカのためのトリガーしきい値を設定する。この公知のスノーボードのバインディングは、市場で少ししか使用されていない限定されたブーツに対してしか適合せず、作動しないという欠点を有する。これが、ハードブーツ用とソフトブーツ用の２つの異なる種類のバインディングが製造されている理由である。すなわち、すべての異なるスノーボード、ブーツ、およびバインディングシステムに使用可能な単一の多適合性のリリースシステムは存在しなかった。そのような多適合性のリリース−バインディング−システムはスクォールまたはスキーに使用できなかった。
【０００４】
さらに２００１／２００２のシーズンに世界的に販売されたすべての公知のスノーボードのバインディングは、セイフティーリリース機構を有していないという欠点があった。前述したように、横向きのライディングポジションと、スノーボードのセイフティーバインディングのつま先またはかかと部分にリリース機構を配置することが不可能であるために、スノーボードにはスキーバインディングを使用することができなかった。ソールキャビティー形状が異なる、またはソールキャビティーがないブーツなど、あまりに多くのブーツが存在するので、リリース機構をスノーボードブーツのソールキャビティー内またはブーツの下に配置することもほとんど不可能であった。
【０００５】
本発明の課題は普遍的に使用可能なマウンティングバインディング、たとえばインターフェイスと呼ばれるプレートであって、スキー、スクォール、特にはスノーボードでの使用に適し、特にすべての公知のスノーボードバインディングにおいて普遍的にマウントできるものを提供することである。
【０００６】
この課題は本発明の特許請求の範囲、請求項１において述べられる発明により解決された。
【０００７】
本発明は、存在しているスキーまたはスノーボードバインディングの下に、リリーシングユニバーサルインターフェイス−プレートをマウントすることに基づき、あらゆる危険な転倒（衝突、荷重または衝撃）において、安全なリリースを保証するセイフティーバインディングとして作用する。この追加のプレートの上に若干高いライディングポジションを取ることには何の不都合もない。これについてはいくつかの利点すらある。スキーバインディングについては、ヒール位置に対して若干高いつまさき位置を取ることは利点であるので、高いバインディングが望まれ、セットされる最大高のより高い限界は利点である。本発明のさらなる利点は、特許請求の範囲の従属項の請求項、およびそれぞれ模式図および図面とともに明細書に記載される。
【０００８】
図１は、（フリースタイル）スノーボードバインディング（Ｂ）とスノーボード（Ａ）との間のインターフェイス（１）の透視図である。
図２は、 インターフェイス（１）の上部（２）、停止ブレーキ（７）、停止ブレーキバー（４）、バネボックス（１５）、エンゲージング要素（１６）および固定グランドプレート（１０）を有する下部（３）とで分離した、断面図である。
図３はインターフェイス（１）と、停止ブレーキターニング位置（７０）の上面図である。
図４は、スノーボードの上と、３Ｄと４ｘ４グランドプレート（図示する）を有するレギュラースノーボードバインディングの下のための連結インターフェイス（ユニバーサルマウンティングプレート）の写真である。
図５は、停止ブレーキグランドプレート（黒色）、バネボックス（その隣）、および固定グランドプレート（その中）を有するインターフェイスの下部の写真である。
図６はインターフェイスの下部の上面の写真である。
図７はインターフェイスの分離可能なリリース機構（エンゲージング要素およびバネボックス）の写真である。
図８は、インターフェイスの２つのプレートの上部および下部を有し、しっかりと連結可能である、２つの分離された分離可能な部分のリリース機構の写真である。
図９はエンゲージング要素を取り付けたインターフェイスのトッププレートの底面の写真である。
図１０は図９のパーツと要素の上面の写真である。
図１１は、リリース機構のリリースセッティングねじのその後の調整のためのリリーストルクの測定のために、自由に動くことのできるフット−アンド−ソケット−ジョンイトとしての改良されたインターフェイスの写真である。
図１２は、（１８０度回転可能なカービング−およびフリースタイル）スキーバインディングとしてのインターフェイスの上部の上からの写真である。
図１３は、図１２と同じ部分の底面からの写真である。
図１４は、インターフェイスのＣＡＤ図の上部断面図である。
図１５は、インターフェイスのＣＡＤ図の側断面図である。
図１６は、カービングスキーインターフェイスのＣＡＤ透視図である。
図１７は、取り付けられたエンゲージング要素、および引き出されたワイヤーレバーを有するブーツの底のキャビティーの底部の写真である。
図１８は、エンゲージング要素、および引き出されたワイヤーレバーを有するブーツの後面の写真である。
図１９は複数のキンクスを有する引き出されたワイヤーレバーの写真である。
図２０は、ブーツの後ろの回転軸を有する拡大されたハイ−バックスの設定と、側面安定化のための可動テーブの図である。
図２１は３Ｄと４ｘ４シフティングホールパターンを有する固定グランドプレートの図である。
図２２は、重量調節機構の設定の図である。
図２３は重量調節機構、回転クラッピングレバー、セーフティロックなどを有する、バネボックス全体の図である。
図２４は弾性テーブ、停止ブレーキ、およびフックを有する、交換可能なバインディング−バージョンを示す複数の図である。
図２５は交換可能なバインディングバージョンのインターフェイスの固定具とサスペンジョンプレートのＣＡＤ透視図である。
【０００９】
図において、明示のない限り、同じ要素には常に同じ番号が使用される。
図１は普遍的マウンティングプレートの使用中の全体の設定、またはスノーボードＡおよびバインディングＢの間をねじで固定したときのいわゆるインターフェイス１を示す。
【００１０】
図２は、インターフェイスの構成を示し、リリース機構のエンゲージング要素１６が、インターフェイス１の上部２中に提供されるインサート内に、ねじによりどのようにキャビティー内に取り付けられるかを示す。インサート１６は、任意の（スノーボード）バインディングＢの固定グランド−プレート６の３Ｄと４ｘ４のホールパターンを有するねじにより、マウンティングするために作用する。分離可能なリリース機構のバネボックス１５は、エンゲージング要素１６の下に位置し、これはリリース機構のバネボックス１５の上に、エンゲージング要素１６の可動部分２９によりクランプされる。バネボックス１５はねじ、およびターニングクランピングレバー３８により、固定グランド−プレート１０のインサート３６内に固定される。同時に、バネボックス１５はそのキャビティー１３とともに、ボードＡの上に、停止ブレーキを有するインターフェイスの底部を加圧する。ねじを少しゆるめるか、またはターニングクランピングレバー３８をあけることにより、固定グランド−プレート１０およびスノーボードＡから底部を持ち上げる。バインディングＢを有するインターフェイス１全体とスノーボードＡとの角度を、３６０度変えることができる。なぜなら、バネボックスの星形のグルーブ１２を、再度固定する前に、固定グランド−プレートの星形のグルーブ１２上に異なる角度で固定することができるからである。
【００１１】
図３はインターフェイス１の上部２の断面図である。インターフェイス１の任意の角度調整のために停止ブレーキ位置７０が配置される場所を示す。２８ｃｍのフリースタイルスノーボードについてはインターフェイスは９０度の位置にあり、２５ｃｍのフリーライドスノーボードについては６０度の位置にあり、２２ｃｍのフリーライドスノーボードについては４５度の位置にあり、１８ｃｍのアルパインレーススノーボードについては３０度の位置にあり、１２ｃｍのスクォールについては０度の位置にある。すなわち図３は、すべての種類のスキー、スクォール、およびスノーボードについて、セイフティーリリース、プル−アウト、またはこの特殊な点７０を超えてステップインすることにより、たとえ１０ｃｍ、２０ｃｍまたは３０ｃｍの大きさであっても、０度から９０度の間のインターフェイス１のフット−アングル−アジャストメントで、停止ブレーキフック７１のさらなる調整をして、またはせずに、停止ブレーキ７が回転し、または動くことを示している。ただし、そのような長さ調節は、複数のホール７２により調節することができ、そのためねじが必要とされ／提供される。
【００１２】
図４も、上部２，下部３，および停止ブレーキバー４を有するインターフェイス１の透視図である。上部２は少なくとも４つ（プラス３）のインサート１７を提供し、ねじ５が、４ｘ４または３Ｄホールパターンを有する丸いグラントプレート６にフィットされる。丸いグラントプレート６の４ｘ４または３Ｄホールパターンにより、すべてのブーツをつけたすべての標準的なスノーボードバインディングを、インターフェイス１の上にマウントすることができる。すなわち、ソフトブーツのためのフリースタイルバインディング、ハードブーツのためのプレートバインディング、またはソフトまたはセミソフトフリーライドブーツのための新しいステップインバインディングをマウントすることができる。停止ブレーキバーは可動であり、インターフェイス１の下部３または上部２に２つのワイヤー７で取り付けられる。
【００１３】
図５は、下部を示す。これは真ん中に十字型のホール８を有し、ここでバネボックスが、十字型のホールを通して見えている固定グランドプレート１０の上に下部を押しつける。この固定グランドプレート１０はスノーボード上にねじでマウントされる。固定グランドプレート１０は星形のグルーブ１２を有し、その中にバネボックスの対応する星形のグルーブ１４がフィットする（図７および８参照）。それにより５度の角度の精度で、３６０度すべての方向に足をセットすることができる。
【００１４】
図６では、面があわされる、リリース機構のエンゲージング要素１６を有する上部２、およびリリース機構のバネボックス１５を有する下部が示される。エンゲージング要素１６は上部のインサート１９内に、ねじにより取り付けられる。バネボックスはねじ、または固定グランドプレートのインサート３６内のターニングクラッピングレバー３８により取り付けられる。それにより図３に示すように、エンゲージング要素１６を有する上部（左）と、バネボックス１５を有する下部が分離される。このリリース機構（エンゲージング要素およびバネボックス）は、本出願と関連し、補完する、国際特許公開ＷＯ−Ａ−９９／０６１２７に記載されたものと同様に構成され、同じ機能を有する。
【００１５】
図７および８は、エンゲージング要素１６とバネボックス１５を有するリリース機構を示し、それぞれ連結された状態と、分離された状態を示す。
【００１６】
図９および１０は、インターフェイス１の上部２が、いわゆるハードブーツ用のプレート−セイフティーバインディングとしてできあがった状態で示されている。上部２の上に、固定具およびサスペンジョンプレート４１がマウントされ／取り付けられた。これはインターフェイス１の長さ方向にジョイント４２の周りに回転可能である（ＣＡＤ図２５と比較）。さらに、固定具およびサスペンジョンプレート４１は上部１の上のゴム弾性的スペーサーワッシャーの上にサスペンドされる。インターフェイスの前部にはトーレバー４５が取り付けられ、サスペンジョンプレート４１と固定具の後部にはヒールレバー４４が取り付けられる。
【００１７】
図１１は、レバー５１により上部２に取り付けられるバネ力秤５０（または目盛りつきのゴムリング）を、くるぶしのトルク測定装置として有するインターフェイス１を示す。下部３はついで上部と直角にセットされる。すなわち、ボルトはエンゲージング要素内に突き出さない。この位置で、リリース機構はほぼ自由に動き、旋回または回転可能なフット−アンド−ソケット−ジョイントである。フット−アンド−ソケット−ジョイントはバネボックス１５の上にセットされた半球状の頂部からなり、エンゲージング要素１６内にフィットする。下部がたとえばスノーボード上に固定された場合、上部はしっかりと確保され、スノーボードの上のインターフェイスの上のバインディング上においてスノーボーダーまたは運動者はスノーボードのライディングポジションに立ち、反対方向ではレバーおよびバネ力秤が販売者によって引っ張られ（少なくとも３つの調節可能な方向に）、ついでリリーストルクが簡単に測定され、ついでバネボックス、およびエンゲージング要素の調節手段により調節可能である。測定装置を引っ張るとき、別個のリリーストルクが測定され、すべての足の筋肉が運動者の元々のスノーボードのライディングポジションを取ろうとしつつ、運動者が彼の足を最大の力およびトルクで回転を始めたときの点で測定される。リリース機構の調節はＷＯ−Ａ−９９／０６１２７により、バネボックス２０のねじ２０と、エンゲージング要素１６のトラフ３２内のセッティングねじ９９で行われる。
【００１８】
図１２と１３は、長いインターフェイスプレート５５を示し、これはフリースタイル  スキーバインディングに使用される。長いプレート５５はスノーボードバインディングの上部２と同じ機能を有する。これは長く薄い形状を有し、停止バーのための方形のホール５４、２対の長いアタッチメントホール５７および５８を有する。長いホール５７の中には、トークロー（ｔｏｅ−ｃｌａｗ）６０があり、長いホール５８の中には、取り付けられたスキーブーツのためのヒール−ステップ−イン機構６１がある。トークロー６０およびステップ−イン機構６１は、公知の標準のスキーバインディングのトーおよびヒールリリース機構を置き換える。リリース機構全体のエンゲージング要素１６がインターフェイスプレート５５の中央に一体化される。バネボックス１５は下部に取り付けられ、スノーボードのようにスキーの上に停止ブレーキをマウントする。
【００１９】
スキー（ブーツ）では、インターフェイス、停止ブレーキはインターフェイスの中央下に位置し、そのため停止ブレーキがヒールに位置しているかのように、スキーの曲がりがじゃまされない。このスキーインターフェイスプレートの下、またはその内部には、衝撃を吸収し、スキーの曲がりをじゃましないように、ねじおよびソリ様にマウントされた調節可能なゴムを有する。
【００２０】
図１４は、より詳細なインターフェイス１のＣＡＤ図、上面図である。
図１５は、図１４の線Ａ−Ａでのインターフェイス１のＣＡＤ断面図である。図１４および１５において、インサート１７がインターフェイス１に取り付けられ、３Ｄまたは４ｘ４のホールパターンを有するバインディングをマウントする。
図１６は図１２および１３に示された長いインターフェイスプレート５５の詳細なＣＡＤ図である。
【００２１】
図１７および１８は、強化されたフリーライドスノーボードブーツであって、底にキャビティーを有し、その中に交換可能なバインディングの態様の、エンゲージング要素１６がねじで固定されるものを示す。この交換可能なバインディングの態様では、直接のセイフティーリリースおよびバネボックスへの直接のステップ−イン、およびステップーアウトを、スノーボードブーツの底のキャビティー内に取り付けられたエンゲージング要素により、行うことができる。ステップーアウトのためには、レバー５１を引き、ついでエンゲージング要素１６を開放する。
【００２２】
図１９は、レバー５１を示す。これは５−６ｍｍの太さのワイヤーレバーが、足のふくらはぎに沿って左右に取り付けられ、ブーツの外側、内側、またはインサイドブーツとアウトサイドブーツの間に取り付けられ、これは一対のキンクを有し、これがワイヤーをくるぶしの後ろに導き、足、くるぶし、またはふくらはぎを傷つけないようにする。
【００２３】
図２０は交換可能なバインディングの態様であって、その幅が広げられたハイ−バック９０であって、堅い横安定部材を含まず、ブーツのヒールの後方の下に回転軸を有するものを示す。ブーツの自由回転リリースのために、堅い横安定部材の代わりに、柔らかい可動の織物テープ９２が、下部３からフック９３まで、ハイ−バックの角度の調節のために使用される。
【００２４】
図２１はグランドプレート１０を示す。これはスノーボードＡの上にインターフェイス１の長さ位置のマウントと変更のための、長い形をした特殊なパターンを有する。これらの長い形のホール８０は、インターフェイス１が任意のスノーボードの３Ｄおよび４ｘ４マウンティングパターンの上にマウントすることができ、長さ位置が変更可能であり、両者のパターンにより異なる設定ができるようにされる。長い形のホール８０はユニークに配置され、中央の３Ｄマウンティングパターン８１により正確に決定され、左右に３つのホール（距離４ｍｍ、直径６ｍｍ）について移動可能である。中央の３Ｄマウンティングパターンから上方左のホールは、４ｘ４マウンティングホールパターンの最も左のホール８２があり、これは３Ｄパターンの底部の長いホール、および新しい第４および第５のホール内にある。
【００２５】
この位置から、４ｘ４パターンは右に、４つのホールについて可動である。このようにアレンジして、５つの長い形のホール８０が、直径９０ｍｍの丸いグランドプレートにフィットする。
【００２６】
図２２は、２つのカウンタープレート２４および２６を示す。これはねじ７６のバネ力を調整するためであり、これはリング７６を有し、プレート２６のねじ中のねじ７６を回すことにより、プレート２４はさらに押され、プレート２６に近づいたり、離れたりする。ねじ７６のためのプレート２４の開口は長く、左右に対して４５度傾くことができる。これは、バネの全体の長さが常に同じ長さであり、ボルト２２が決してこれらのホール２３内にブロックされないよう防止しつつ、リリースを行うためである。
【００２７】
図２３は、バネボックス１５であつて、ターニング−カップリング−レバー３８、およびループ３７中の小さなロック１００を有するものを示す。ループ３７中の小さなロック１００の機能は、インターフェイスの下部３がグランドプレート１０、およびスノーボードからねじがはずれてとれないようにし、異なる態様においてはエンゲージング要素がバネボックスの上にかみ合うことができないようにすることである。この２つの機能により、優れた盗難防止ロックが提供される。さらに、インターフェイス１のこの点、または次に良好に認識できる場所に、アルファベット、数字、またはバーコードを、製造年月日を記載し、レーザープリント接着テープで付着される。アルファベット、数字、またはバーコードによりバインディングの所有者の名前をインターネットのサーバーに記録する。ループ３７から暴力的に小さなロックがはずされたとき、数が破壊されるので、ループ３７をロックすることは、盗まれたインターフェイス１が簡単に認識できる点で有用である。数を記載したループのアイデアは、盗品では付された番号がもはやないので、盗んだ者がプレートのない自動車に乗っているようなものであり、このような簡単に認識されるようなものは望まない点である。けがをした場合には、保険会社はけがをしたスノーボーダーを統計的に報告し、我々は我々のみによる特許されたインターフェイスおよびスノーボードセイフティーバインディングの所有者およびそれのライダーのみについて受け入れるので、保険会社は古い公知のインターフェイスおよびスノーボードセイフティーバインディングの所有者への払い戻しのための統計的セイフティーバインディング−リスクに対する、正確な統計的セイフティーバインディング−リスクを知り、けがのリスクが減少したことを知るであろう。３番目には、このアルファベット、数字、またはバーコードは安価なアジアまたは東欧からの、インターフェイスおよびスノーボードセイフティーバインディングのコピーを防止することができる。
【００２８】
ロック可能なループと、インターネットのサーバーに記録されるアルファベット、数字、またはバーコードの組み合わせは、ロック、チェーン、自転車、キックボード、車、船、飛行機、住宅、およびスキーおよびスキーバインディングにも適用可能である。このループワイヤーまたはいわゆる電気回路を、モーターを止めるため、アラームサインまたは他の電気製品をつけるために一体化することができる。
【００２９】
図２４ａ、ｂ、およびｃは、異なる態様のバインディングであって、エンゲージング要素がインターフェイス１の上部２内のインサート１９からはずされ、そのため底の対応する開口を有するブーツにねじ止めされているものを示す。上部２のないこの異なる態様のバインディングでは、下部３はＷＯ−Ａ−９９／０６１２７によるステップ−インおよびステップ−アウトスノーボードセイフティーバインディングとして直接使用することができる。この異なる態様のステップ−インおよびステップ−アウトでは、５−６ｍｍの太さのワイヤーレバー５１が使用され、足のふくらはぎに沿って左右に取り付けられ、ブーツの外側、内側、またはインサイドブーツとアウトサイドブーツの間に取り付けられ、これは一対のキンクを有し、これがヤーをくるぶしの後ろに導き、足、くるぶし、またはふくらはぎを傷つけないようにする。さらにこのワイヤーレバー５１は、インターフェイス上部（前述）に取り付け、スノーボーダーのトルク測定装置として使用され、この測定されたトルクにしたがって、リリース機構が調整される。
【００３０】
図２４ａ、ｂ、およびｃは、ゴム弾性テープ６４を有する異なる態様のバインディングを示す。これはステップ−インガイドおよび直接のつまさき−ブーツ−チップ−ボード−エッジ結合として、固定具と、サスペンジョンプレート４１の上の、バネボックスの右または左側面に取りつけられる。
【００３１】
ステップ−インのためにはスノーボーダーはこのゴム弾性テープ６４をブーツチップとともに後方にリリース機構がロツクされるまで引っ張り、ついでゴム弾性テープはブーツチップの下を前方へ動く。このゴム弾性テープは、常にブーツの底の雪を押し出すためにも使用される。これはスピード−ペダルとして公知である。
【００３２】
図２５は、インターフェイス１の下部３の透視図である。ここで固定具とサスペンジョンプレート４１、ダンピング要素としての複数のゴム弾性スペーサーワッシャー３９は、穴４３内のねじで固定される。この組み合わされたサスペンジョン−ダンピングシステムにより、若干の角度調整、および固定具とサスペンジョンプレートとのダンピングテンションの調節が可能になる。固定具とサスペンジョンプレートは、正確な「カンティング」および「ヒール」に、特に堅いブーツのライダーのために、調節することができる。なぜなら、リリース機構にあらかじめかけられた荷重は、減少され、または除かれなければならず、誤った、偶然的なリリースが起こらないようにされる。さらにサスペンジョン−、およびダンピング−システムは関節および手足への衝撃および衝突を低減し、またリリース機構自体への衝撃および衝突も低減する。くるぶしのプロノテーション（ｐｒｏｎｏｔａｔｉｏｎ）および回外（ｓｕｐｉｎａｔｉｏｎ）からの回避はけがを減少させる。なぜなら、バインディング（クリッカー、スイッチ）は堅く、スノーボードに平坦に固定され、骨および軟骨の損傷の危険が高くないからである。
【図面の簡単な説明】
【００３３】
【図１】図１は、（フリースタイル）スノーボードバインディング（Ｂ）とスノーボード（Ａ）との間のインターフェイス（１）の透視図である。
【図２】図２は、インターフェイス（１）の上部（２）、停止ブレーキ（７）、停止ブレーキバー（４）、バネボックス（１５）、エンゲージング要素（１６）および固定グランドプレート（１０）を有する下部（３）とで分離した、断面図である。
【図３】図３はインターフェイス（１）と、停止ブレーキターニング位置（７０）の上面図である。
【図４】図４は、スノーボードの上と、３Ｄと４ｘ４グランドプレート（図示する）を有するレギュラースノーボードバインディングの下のための連結インターフェイス（ユニバーサルマウンティングプレート）の写真である。
【図５】図５は、停止ブレーキグランドプレート（黒色）、バネボックス（その隣）、および固定グランドプレート（その中）を有するインターフェイスの下部の写真である。
【図６】図６はインターフェイスの下部の上面の写真である。
【図７】図７はインターフェイスの分離可能なリリース機構（エンゲージング要素およびバネボックス）の写真である。
【図８】図８は、インターフェイスの２つのプレートの上部および下部を有し、しっかりと連結可能である、２つの分離された分離可能な部分のリリース機構の写真である。
【図９】図９はエンゲージング要素を取り付けたインターフェイスのトッププレートの底面の写真である。
【図１０】図１０は図９のパーツと要素の上面の写真である。
【図１１】図１１は、リリース機構のリリースセッティングねじのその後の調整のためのリリーストルクの測定のために、自由に動くことのできるフット−アンド−ソケット−ジョンイトとしての改良されたインターフェイスの写真である。
【図１２】図１２は、（１８０度回転可能なカービング−およびフリースタイル）スキーバインディングとしてのインターフェイスの上部の上からの写真である。
【図１３】図１３は、図１２と同じ部分の底面からの写真である。
【図１４】図１４は、インターフェイスのＣＡＤ図の上部断面図である。
【図１５】図１５は、インターフェイスのＣＡＤ図の側断面図である。
【図１６】図１６は、カービングスキーインターフェイスのＣＡＤ透視図である。
【図１７】図１７は、取り付けられたエンゲージング要素、および引き出されたワイヤーレバーを有するブーツの底のキャビティーの底部の写真である。
【図１８】図１８は、エンゲージング要素、および引き出されたワイヤーレバーを有するブーツの後面の写真である。
【図１９】図１９は複数のキンクスを有する引き出されたワイヤーレバーの写真である。
【図２０】図２０は、ブーツの後ろの回転軸を有する拡大されたハイ−バックスの設定と、側面安定化のための可動テーブの図である。
【図２１】図２１は３Ｄと４ｘ４シフティングホールパターンを有する固定グランドプレートの図である。
【図２２】図２２は、重量調節機構の設定の図である。
【図２３】図２３は重量調節機構、回転クラッピングレバー、セーフティロックなどを有する、バネボックス全体の図である。
【図２４】図２４は弾性テーブ、停止ブレーキ、およびフックを有する、交換可能なバインディング−バージョンを示す複数の図である。
【図２５】図２５は交換可能なバインディングバージョンのインターフェイスの固定具とサスペンジョンプレートのＣＡＤ透視図である。
【符号の説明】
【００３４】
インターフェイス１
上部２
下部３
ポールを有する停止ブレーキバー  ４
ねじ５
丸い固定グラントプレート（４ｘ４または３Ｄ標準）６
ストップ（ハウジング）７
十字型開口  ８
丸い固定グラントプレート１０
ねじ１１
固定グラントプレートの星形グルーブ１２
バネボックスの開口１３
バネボックスの星形グルーブ１４
リリース機構のエンゲージング要素またはバネボックス１５
リリース機構のクランビング機構またはアダプター１６
スレッドワインディングホール１７
リリース機構１８
インサート１９
パワースプリング２０
フレーム２１
丸形の端を有するピン２２
穴またはハウジング２３
圧力プレート２４
スレッド２５ｂ中にリングを有するねじ２５
圧力プレート２６
固定フレーム２７またはｕ−プロフィル
回転可能なグルーブプレート２８
固定グルーブプレート２９
ｕ−レバー３０
軸３１
蝶型のリリーストラフ３２
回転可能なグルーブプレート２８内のバネのための穴３３
板バネ３４
バネボックス１５中の中央穴３５
固定グラントプレート１０のインサート３６
ループ３７
ターニング−クラッピングレバー３８
（アルファベット、数字またはバー）コード３９
アルファベット、数字またはバーコード３９のインターネットリスト４０
サスペンジョンプレート４１
サスペンジョンプレート４１のジョイント４２
ダンピング手段としてのゴム環またはスペーサーワッシャー４３
つまさき固定ワイヤー４４
かかと固定ワイヤー４５
ねじ４９
バネ力秤５０
ワイヤー５１
キンク５２
停止ブレーキバー４のための開口５４
長い形のインターフェイスプレート５５
リリース機構１６のための中央エンラージメント５６
固定またはマウント手段５７および５８
平行の長い穴５９
つま先機構６０
ｕ−クランピングプロフィル６１
かかと機構６２
停止ブレーキターニングポイント７０
停止フック７１
複数の穴７２
環７６
開口７７
コニック型のボーダー７８
開口のフレーム７９
長い穴８０
中央３Ｄパターン８１
上部の右の穴８２
４ｘ４パターン８３
ハイ−バック９０
軸９１
可動テープ９２
固定フック９３
調整ねじ９９
ロック１００
【図１】
2004520126.tif 000003
【図２】
2004520126.tif 000004
【図３】
2004520126.tif 000005
【図１４】
2004520126.tif 000006
【図１５】
2004520126.tif 000007
【図１６】
2004520126.tif 000008
【図２０】
2004520126.tif 000009
【図２１】
2004520126.tif 000010
【図２２】
2004520126.tif 000011
【図２５】
2004520126.tif 000012
【図４】
2004520126.tif 000013
【図５】
2004520126.tif 000014
【図６】
2004520126.tif 000015
【図７】
2004520126.tif 000016
【図８】
2004520126.tif 000017
【図９】
2004520126.tif 000018
【図１０】
2004520126.tif 000019
【図１１】
2004520126.tif 000020
【図１２】
2004520126.tif 000021
【図１３】
2004520126.tif 000022
【図１７】
2004520126.tif 000023
【図１８】
2004520126.tif 000024
【図１９】
2004520126.tif 000025
【図２３】
2004520126.tif 000026
【図２４ａ】
2004520126.tif 000027
【図２４ｂ】
2004520126.tif 000028
【図２４ｃ】
2004520126.tif 000029
【国際公開パンフレット】
2004520126.tif 000030
2004520126.tif 000031
2004520126.tif 000032
2004520126.tif 000033
2004520126.tif 000034
2004520126.tif 000035
2004520126.tif 000036
2004520126.tif 000037
2004520126.tif 000038
2004520126.tif 000039
2004520126.tif 000040
2004520126.tif 000041
2004520126.tif 000042
2004520126.tif 000043
2004520126.tif 000044
2004520126.tif 000045
2004520126.tif 000046
2004520126.tif 000047
2004520126.tif 000048
2004520126.tif 000049
2004520126.tif 000050
2004520126.tif 000051
2004520126.tif 000052
2004520126.tif 000053
2004520126.tif 000054
2004520126.tif 000055
2004520126.tif 000056
2004520126.tif 000057
2004520126.tif 000058
2004520126.tif 000059
2004520126.tif 000060
2004520126.tif 000061
2004520126.tif 000062
2004520126.tif 000063
2004520126.tif 000064
2004520126.tif 000065
2004520126.tif 000066
【国際公開パンフレット（コレクトバージョン）】
2004520126.tif 000067
2004520126.tif 000068
【国際調査報告】
2004520126.tif 000069
2004520126.tif 000070
2004520126.tif 000071
2004520126.tif 000072